(57)【特許請求の範囲】
【請求項１】
第１乃至第３の端末装置を含むシステムであって、
前記第１の端末装置は、
予め規定されている作業手順に含まれる各作業を、規定された順番で作業者に指示するように促す表示を行い、
前記作業手順に含まれるある作業の実行を前記作業者に指示したことが入力されると、前記第２及び第３の端末装置に前記ある作業の指示通知を送信すると共に、前記ある作業の次の順番における作業の実行を前記作業者に指示したことを入力できないロック状態に遷移し、
前記第２の端末装置は、
前記作業手順におけるいずれかの作業対象装置に対応付けられており、
前記ある作業の指示通知を受信すると、前記ある作業の指示通知が前記作業対象装置に関係する場合には、前記作業者に対して指示に係る装置であることを示す表示を行い、
前記第３の端末装置は、
前記ある作業の指示通知を受信すると、前記ある作業が前記作業者によって実行されたことを確認するよう促す表示を行い、
前記ある作業が前記作業者によって実行されたことを確認したことが入力されると、前記ある作業の確認通知を、前記第１及び第２の端末装置に送信し、
前記第１の端末装置は、
前記ある作業の確認通知を受信すると、前記ロック状態を解除し、
前記第２の端末装置は、
前記ある作業の確認通知を受信すると、前記ある作業の確認通知が前記作業対象装置に関係する場合には、前記作業者に対して指示に係る装置であることを示す表示を停止する、
システム。
【請求項２】
前記第３の端末装置を複数含み、
前記第１の端末装置は、
複数の前記第３の端末装置のいずれかから前記ある作業の確認通知を受信すると、前記ロック状態を解除する、
請求項１記載のシステム。
【請求項３】
前記第３の端末装置を複数含み、
前記ある作業が、並列実行可能な複数の作業を含み、
前記第１の端末装置は、
複数の前記第３の端末装置から前記複数の作業のいずれについても確認通知を受信すると、前記ロック状態を解除する
請求項１記載のシステム。
【請求項４】
前記第２の端末装置は、
前記作業手順のデータを読み込んで前記作業対象装置についてのデータを抽出し、前記作業対象装置についての初期状態を特定して初期的に表示し、
前記ある作業の確認通知を受信すると、前記ある作業の確認通知が前記作業対象装置に関係する場合には、前記作業対象装置の状態を変更して表示する
請求項１乃至３のいずれか１つ記載のシステム。
【請求項５】
情報処理装置であって、
予め規定されている作業手順に含まれる各作業を、規定された順番で作業者に指示するように促す表示を行う表示処理手段と、
前記作業手順に含まれるある作業の実行を前記作業者に指示したことが入力されると、前記作業者が実行した作業の確認を行う確認者のための第１の端末装置又は前記情報処理装置において前記第１の端末装置が有する確認者用手段と同じ確認者用手段が動作している場合には当該確認者用手段と前記作業手順における作業対象装置のための第２の端末装置とのうち少なくともいずれかに、前記ある作業の実行を前記作業者に指示したことを表す、前記ある作業の指示通知を出力すると共に、前記ある作業の次の順番における作業の実行を前記作業者に指示したことを入力できないロック状態に前記表示処理手段を遷移させる手段と、
前記第１の端末装置又は前記確認者用手段から、前記ある作業が前記作業者によって実行されたことを確認したことを表す、前記ある作業の確認通知を受信すると、前記ロック状態を解除する手段と、
を有する情報処理装置。
【請求項６】
予め規定されている作業手順に含まれる各作業を、規定された順番で作業者に指示するように促す表示を行う第１表示処理手段と、
前記作業手順に含まれるある作業の実行を前記作業者に指示したことが入力されると、前記ある作業の次の順番における作業の実行を前記作業者に指示したことを入力できないようにしつつ、前記ある作業が前記作業者によって実行されたことを確認するよう促す表示を行う第２表示処理手段と、
前記ある作業が前記作業者によって実行されたことを確認したことが入力されると、前記作業者に対して、前記ある作業の次の順番について前記第１表示処理手段を動作させる手段と、
を有する情報処理装置。
【請求項７】
予め規定されている作業手順に含まれるある作業の実行を作業者に指示したことが入力されたことを表す前記ある作業の指示通知を他の端末装置から受信すると、前記ある作業が前記作業者によって実行されたことを確認するよう促す表示を行う手段と、
前記ある作業が前記作業者によって実行されたことを確認したことが入力されると、前記ある作業の次の順番における作業についての処理への遷移を可能にする、前記ある作業の確認通知を、前記他の端末装置に送信する手段と、
を有する情報処理装置。
【請求項８】
予め規定されている作業手順におけるいずれかの作業対象装置に対応付けられた情報処理装置であって、
前記作業手順に含まれるある作業の実行を作業者に指示したことを表す、前記ある作業の指示通知を受信すると、前記ある作業の指示通知が前記作業対象装置に関係する場合には、前記作業者に対して指示に係る装置であることを示す表示を行う手段と、
前記ある作業が前記作業者によって実行されたことを確認したことを表す、前記ある作業の確認通知を受信すると、前記ある作業の確認通知が前記作業対象装置に関係する場合には、前記作業者に対して指示に係る装置であることを示す表示を停止させる手段と、
を有する情報処理装置。
【請求項９】
情報処理装置に、
予め規定されている作業手順に含まれるある作業を、作業者に指示するように促す表示を行うステップと、
前記ある作業の実行を前記作業者に指示したことが入力されると、前記作業者が実行した作業の確認を行う確認者のための第１の端末装置又は前記情報処理装置において前記第１の端末装置が有する確認者用手段と同じ確認者用手段が動作している場合には当該確認者用手段と前記作業手順における作業対象装置のための第２の端末装置とのうち少なくともいずれかに、前記ある作業の実行を前記作業者に指示したことを表す、前記ある作業の指示通知を出力すると共に、前記ある作業の次の順番における作業の実行を前記作業者に指示したことを入力できないロック状態に遷移させるステップと、
前記第１の端末装置又は前記確認者用手段から、前記ある作業が前記作業者によって実行されたことを確認したことを表す、前記ある作業の確認通知を受信すると、前記ロック状態を解除するステップと、
を実行させるためのプログラム。
【請求項１０】
予め規定されている作業手順に含まれるある作業を、作業者に指示するように促す表示を行う第１表示ステップと、
前記ある作業の実行を前記作業者に指示したことが入力されると、前記ある作業の次の順番における作業の実行を前記作業者に指示したことを入力できないようにしつつ、前記ある作業が前記作業者によって実行されたことを確認するよう促す表示を行う第２表示ステップと、
前記ある作業が前記作業者によって実行されたことを確認したことが入力されると、前記ある作業の次の順番について前記第１表示ステップ及び前記第２表示ステップを実行するステップと、
を、情報処理装置に実行させるためのプログラム。
【請求項１１】
予め規定されている作業手順に含まれるある作業の実行を作業者に指示したことが入力されたことを表す前記ある作業の指示通知を他の端末装置から受信すると、前記ある作業が前記作業者によって実行されたことを確認するよう促す表示を行うステップと、
前記ある作業が前記作業者によって実行されたことを確認したことが入力されると、前記ある作業の次の順番における作業についての処理への遷移を可能にする、前記ある作業の確認通知を、前記他の端末装置に送信するステップと、
を、情報処理装置に実行させるためのプログラム。
【請求項１２】
予め規定されている作業手順におけるいずれかの作業対象装置に対応付けられた情報処理装置に実行させるためのプログラムであって、
前記作業手順に含まれるある作業の実行を作業者に指示したことを表す、前記ある作業の指示通知を受信すると、前記ある作業の指示通知が前記作業対象装置に関係する場合には、前記作業者に対して指示に係る装置であることを示す表示を行うステップと、
前記ある作業が前記作業者によって実行されたことを確認したことを表す、前記ある作業の確認通知を受信すると、前記ある作業の確認通知が前記作業対象装置に関係する場合には、前記作業者に対して指示に係る装置であることを示す表示を停止させるステップと、
を前記情報処理装置に実行させるためのプログラム。
【発明の詳細な説明】
【技術分野】
【０００１】
本発明は、電気工事などの工事の作業工程を管理するための技術に関する。
【背景技術】
【０００２】
例えば、電気設備の停電作業や点検業務において、点検前後の停電復電操作時の誤操作や、遮断機などの復旧及び接地器取り忘れによる設備事故を防止することは重要である。
【０００３】
しかしながら、従来では、進捗状況を把握したり作業間の調整を行ったりするために情報システムが用いられているが、実際に工事を行う現場における作業順番の誤りや、工程実行の欠落などを有効に防止するための仕組みは十分ではない。
【先行技術文献】
【特許文献】
【０００４】
【特許文献１】特開平１０−２７３９７４号公報
【特許文献２】特開２００６−２５２２２６号公報
【発明の概要】
【発明が解決しようとする課題】
【０００５】
従って、本発明の目的は、一側面として、工事を行う現場において正しい作業手順で作業を行うように促すための技術を提供することである。
【課題を解決するための手段】
【０００６】
本発明に係るシステムは、第１乃至第３の端末装置を含むシステムである。そして、第１の端末装置は、（Ａ）予め規定されている作業手順に含まれる各作業を、規定された順番で作業者に指示するように促す表示を行い、（Ｂ）作業手順に含まれるある作業の実行を作業者に指示したことが入力されると、第２及び第３の端末装置にある作業の指示通知を送信すると共に、ある作業の次の順番における作業の実行を作業者に指示したことを入力できないロック状態に遷移する。また、第２の端末装置は、（Ｃ）作業手順におけるいずれかの作業対象装置に対応付けられており、（Ｄ）ある作業の指示通知を受信すると、ある作業の指示通知が作業対象装置に関係する場合には、作業者に対して指示に係る装置であることを示す表示を行う。さらに、第３の端末装置は、（Ｅ）ある作業の指示通知を受信すると、ある作業が作業者によって実行されたことを確認するよう促す表示を行い、（Ｆ）ある作業が作業者によって実行されたことを確認したことが入力されると、ある作業の確認通知を、第１及び第２の端末装置に送信する。そして、第１の端末装置は、（Ｇ）ある作業の確認通知を受信すると、ロック状態を解除する。また、第２の端末装置は、（Ｈ）ある作業の確認通知を受信すると、ある作業の確認通知が作業対象装置に関係する場合には、作業者に対して指示に係る装置であることを示す表示を停止する。
【発明の効果】
【０００７】
一側面としては、工事を行う現場において正しい作業手順で作業を行うように促すことができるようになる。
【図面の簡単な説明】
【０００８】
【図１】図１は、第１の実施の形態に係るシステムの構成例を示す図である。
【図２】図２は、タブレットの機能ブロック図である。
【図３】図３は、指示者タブレットの第１の画面例を示す図である。
【図４】図４は、第１の実施の形態に係る処理フローを示す図である。
【図５】図５は、作業手順表の一例を示す図である。
【図６】図６は、指示者タブレットの第２の画面例を示す図である。
【図７】図７は、指示者タブレットの第３の画面例を示す図である。
【図８】図８は、指示者タブレットの第４の画面例を示す図である。
【図９】図９は、確認者タブレットの第１の画面例を示す図である。
【図１０】図１０は、確認者タブレットの第２の画面例を示す図である。
【図１１】図１１は、確認者タブレットの第３の画面例を示す図である。
【図１２】図１２は、盤タブレットの第１の画面例を示す図である。
【図１３】図１３は、盤タブレットの第２の画面例を示す図である。
【図１４】図１４は、初期状態特定処理の処理フローを示す図である。
【図１５】図１５は、盤タブレットの第３の画面例を示す図である。
【図１６】図１６は、第１の実施の形態に係る処理フローを示す図である。
【図１７】図１７は、指示者タブレットの第５の画面例を示す図である。
【図１８】図１８は、確認者タブレットの第４の画面例を示す図である。
【図１９】図１９は、第１通知応答処理の処理フローを示す図である。
【図２０】図２０は、盤タブレットの第４の画面例を示す図である。
【図２１】図２１は、確認者タブレットの第５の画面例を示す図である。
【図２２】図２２は、指示者タブレットの第６の画面例を示す図である。
【図２３】図２３は、第２通知応答処理の処理フローを示す図である。
【図２４】図２４は、盤タブレットの第５の画面例を示す図である。
【図２５】図２５は、指示者タブレットの第７の画面例を示す図である。
【図２６】図２６は、盤タブレットの第６の画面例を示す図である。
【図２７】図２７は、確認者タブレットの第６の画面例を示す図である。
【図２８】図２８は、確認者タブレットの第７の画面例を示す図である。
【図２９】図２９は、指示者タブレットの第８の画面例を示す図である。
【図３０】図３０は、指示者タブレットの第９の画面例を示す図である。
【図３１】図３１は、盤タブレットの第７の画面例を示す図である。
【図３２】図３２は、確認者タブレットの第８の画面例を示す図である。
【図３３】図３３は、第２の実施の形態に係るシステムの構成例を示す図である。
【図３４】図３４は、タブレットの機能ブロック図である。
【発明を実施するための形態】
【０００９】
［実施の形態１］
本実施の形態に係るシステムの概要を図１に示す。例えば、電気工事を行う場所には、高圧受電盤や低圧動力盤等の盤１００１及び１００２が設置されている。この盤１００１及び１００２のうち、今回の電気工事において主に作業が行われる盤１００１には、盤タブレット３００を、取り付ける。例えば、盤タブレット３００の裏面には磁石が備えられており、盤１００１の扉などに貼り付けられる。また、工事の指示者が操作する指示者タブレット１００と、工事の確認者が操作する確認者タブレット２００も用いられる。さらに、盤タブレット３００と指示者タブレット１００と確認者タブレット２００とで用いられるデータを保持するサーバの役割を果たすパーソナルコンピュータＰＣ（Personal Computer）５００も用意される。
【００１０】
そして、ルータや中継器などの通信機器４００を、工事場所に設置して、盤タブレット３００と指示者タブレット１００と確認者タブレット２００とＰＣ５００との間で通信可能なように、無線ＬＡＮ（Local Area Network）が構築される。
【００１１】
指示者タブレット１００、確認者タブレット２００と盤タブレット３００とは、無線ＬＡＮ機能及びタッチパネルを有するタブレットであるが、本実施の形態に係る機能として、図２に示すように、通信部１１と、制御部１２と、表示処理部１３と、入力部１４と、データ格納部１５とを有する。
【００１２】
通信部１１は、通信機器４００を介して、他のタブレット及びＰＣ５００と通信を行う。制御部１２は、タブレットの制御を行う。具体的には、制御部１２は、通信部１１から受信した通知に応じて又は入力部１４からの入力に応じて、通信部１１や表示処理部１３を制御する。また、制御部１２は、取得した作業手順表のデータ等をデータ格納部１５に格納したり、作業手順表のデータ等をデータ格納部１５から読み出して表示処理部１３にタッチパネル（すなわち表示装置）へ表示させる。表示処理部１３は、制御部１２からの指示に応じてデータをタッチパネル上に表示させる。入力部１４は、タッチパネルに対する入力を制御部１２に出力する。データ格納部１５は、各種設定データや取得した作業手順表等のデータを格納する。
【００１３】
次に、図１に示したシステムの動作を、図３乃至図３２を用いて説明する。まず、指示者タブレット１００を起動させて、本実施の形態に係る、指示者タブレット１００用のプログラムを実行すると、制御部１２は、表示処理部１３に例えば図３に示すような画面を表示させる。図３の例では、作業手順表（手順書とも呼ぶ）を例えばＰＣ５００から読み込むことを指示するための手順書読込スタートボタンと、盤タブレット３００を取り付けた盤を特定するための欄（盤タブレット表示欄）と、指示者タブレット１００として機能することを指示するための指示者タブレットボタンと、確認者タブレットとして機能することを指示するための確認者タブレットボタンと、盤タブレットの背景色設定欄（詳細は省略）とを含む。
【００１４】
まず、指示者は、手順書読込スタートボタンを押すことで、例えばＰＣ５００から作業手順表を読み込むことを、指示者タブレット１００に指示する。指示者タブレット１００の入力部１４は、手順書読込スタートの指示を受け付けると制御部１２に出力し、制御部１２は、通信部１１を介してＰＣ５００から作業手順表のデータを読み出して、データ格納部１５に格納する（図４：ステップＳ１）。ＰＣ５００において複数の作業手順表が格納されている場合には、いずれの作業手順表を用いるのかを選択させるようにしても良い。
【００１５】
本実施の形態では、例えば図５に示すような作業手順表を読み込むものとする。作業手順表は、作業番号、予定時間、作業項目、操作箇所（場所、盤名及び機器）、操作又は状態、指示者名、操作者名及び確認者名が、各作業について規定されている。本例では、盤は、高圧受電盤、高圧キャビネット、低圧動力盤及び低圧電灯盤を含む。
【００１６】
そうすると、制御部１２は、表示処理部１３に、読み込んだ作業手順表に係る盤を識別可能に表示させる。例えば、図６に示すような画面が表示される。
【００１７】
図６では、作業手順表に含まれる盤については、盤タブレット表示欄において列挙される。但し、本実施の形態では、説明を簡単にするために、高圧受電盤にのみ盤タブレット３００を取り付けるものとする。すなわち、盤１００１は、高圧受電盤である。すなわち、盤タブレット３００においてどの盤に取り付けられたかが設定されると、盤タブレット３００から指示者タブレット１００及び確認者タブレット２００に、取り付け先の盤の識別子が通知され、盤タブレット表示欄において、取り付け先の盤に丸が表示される。
【００１８】
なお、確認者タブレット２００及び盤タブレット３００についても、電源を投入して、本実施の形態に係る確認者タブレット２００用のプログラム及び盤タブレット３００用のプログラムを起動させておく。なお、各タブレットに、他のタブレットのアドレスなどを予め取得しておくか、設定しておくものとする。
【００１９】
そして、指示者タブレット１００の制御部１２は、通信部１１に、例えば読み込んだ作業手順表のファイル名などの識別子を含む作業手順表読込通知を、確認者タブレット２００と盤タブレット３００に対して送信させる（図４：ステップＳ３）。作業手順表読込通知についてはブロードキャストするようにしても良い。そうすると、確認者タブレット２００の通信部１１は、指示者タブレット１００から作業手順表読込通知を受信し、制御部１２に出力する（ステップＳ９）。そうすると、確認者タブレット２００の制御部１２は、通信部１２に、作業手順表読込通知に係る作業手順表を、ＰＣ５００から読み込ませ、データ格納部１５に格納する（ステップＳ１１）。そして、確認者タブレット２００の制御部１２は、表示処理部１３に、読み込んだ作業手順表に係る盤を識別可能に表示させる。
【００２０】
同様に、盤タブレット３００の通信部１１は、指示者タブレット１００から作業手順表読込通知を受信し、制御部１２に出力する（ステップＳ１７）。そして、盤タブレット３００の制御部１２は、通信部１１に、作業手順表読込通知に係る作業手順表を、ＰＣ５００から読み込ませ、データ格納部１５に格納する（ステップＳ１９）。盤タブレット３００の制御部１２は、表示処理部１３に、読み込んだ作業手順表に係る盤を識別可能に表示させる。
【００２１】
指示者タブレット１００では図６のような画面が表示されているので、指示者は、盤タブレット表示欄における「設置状況の更新」をタップして、盤タブレット３００の取り付け先盤の識別子を取得するように指示する。指示者タブレット１００の入力部１４は、指示者からの入力を受け付けて、表示処理部１３に、取得後の画面を表示させる。例えば、図７のような画面が表示されるようになる。このように、今回の工事現場では、高圧受電盤にのみ盤タブレット３００が取り付けられるという表示がなされる。本実施の形態では、この状態で図７における指示者タブレットボタンをタップすると、指示者タブレット１００の入力部１４は、指示者タブレットボタンがタップされたことを制御部１２に出力し（ステップＳ５）、制御部１２は、作業手順表に基づく初期表示を、表示処理部１３に対して実行させる（ステップＳ７）。そして処理は端子Ａを介して図１６の処理に移行する。
【００２２】
例えば、図８に示すような画面が表示される。図８の画面構成例では、現在の作業の表示欄８０１と、作業リスト８０３と、図７のようなＭＥＮＵへ戻るボタンと、作業表の全件表示ボタンと、作業の１０件表示ボタンと、指示ボタン８０４とを含む。作業リスト８０３には、操作箇所（盤及び機器）と、操作又は状態とが各作業について含まれる。本実施の形態では、作業リスト８０３において、現在の作業については、強調表示８０２がなされる。また、指示ボタン８０４は、指示者が操作者に対して指示を行うことができる状態であれば表示されるが、指示できないロック状態であれば表示されない。
【００２３】
なお、確認者タブレット２００については、ステップＳ１１の後に、例えば図９のような画面が表示される。ここで、指示者タブレット１００についての設定と同様に、盤タブレット表示欄における「設置状況の更新」をタップして、盤タブレット３００の取り付け先盤の識別子を取得するように指示する。確認者タブレット２００の入力部１４は、確認者からの入力を受け付けて、表示処理部１３に、取得処理後の画面を表示させる。例えば、図１０のような画面が表示されるようになる。このように、今回の工事現場では、高圧受電盤にのみ盤タブレット３００が取り付けられるという表示がなされる。本実施の形態では、この状態で図１０における確認者タブレットボタンをタップすると、確認者タブレット２００の入力部１４は、確認者タブレットボタンがタップされたことを制御部１２に出力し（ステップＳ１３）、制御部１２は、作業手順表に基づく初期表示を、表示処理部１３に対して実行させる（ステップＳ１５）。そして処理は端子Ｂを介して図１６の処理に移行する。
【００２４】
例えば、図１１に示すような画面が表示される。図１１の画面構成例では、現在の作業の表示欄１１０１と、作業リスト１１０２と、図１０のようなＭＥＮＵへ戻るボタンとを含む。作業リスト１１０２には、操作箇所（盤及び機器）と操作又は状態とが、各作業について含まれる。確認者タブレット２００においては、指示者タブレット１００から指示がなされるまでは、現在の作業の表示欄１１０１は空欄であり、作業リスト１１０２において現在の作業を強調表示することもない。
【００２５】
また、盤タブレット３００については、例えばステップＳ１９の後に、例えば図１２に示すような画面が表示される。本実施の形態では、盤を選ぶボタンのみが表示される。このような盤を選ぶボタンをタップすると、図１３に示すように、読み込んだ作業手順表における盤のリストを表示する画面を、制御部１２が表示処理部１３に表示させる。図１３の例では、上でも述べたように、４つの盤のいずれかを選択するために、盤毎に「設置するボタン」が設けられている。本実施の形態では、高圧受電盤についての「設置するボタン」がタップされる。
【００２６】
盤タブレット３００の入力部１４は、このような設定入力を受け付けると（ステップＳ２１）、当該設定入力を制御部１２に出力し、制御部１２は、データ格納部１５に格納されている作業手順表に基づき初期状態特定処理を実行する（ステップＳ２３）。なお、この段階で、他のタブレットに取り付け先盤の識別子を通知しても良いし、この段階以降に他のタブレットからの問い合わせに応じて取り付け先盤の識別子を通知しても良い。初期状態特定処理については、図１４を用いて説明する。
【００２７】
盤タブレット３００の制御部１２は、作業手順表から自盤（ここでは高圧受電盤）についての作業を抽出する（ステップＳ１０１）。図５の例では、１番目、３番目乃至５番目、８番目、１３番目乃至１５番目、１９番目の作業が抽出される。
【００２８】
そして、制御部１２は、抽出されたデータから、機器毎にデータを抽出する（ステップＳ１０３）。図５の例では、機器については、「５２Ｒ」「８９Ｒ」「保安接地」「電源用作用・表示電源用ＭＣＣＢ」が含まれるので、各々についてデータをまとめる。
【００２９】
その後、制御部１２は、機器毎に、初期操作又は状態の逆の操作又は状態を、初期状態として特定する（ステップＳ１０５）。
【００３０】
図５の例では、「５２Ｒ」については初期操作又は状態は「開放」であるから、逆の操作又は状態「投入」が初期状態として特定される。同様に、「８９Ｒ」については初期操作又は状態は「開放」であるから、逆の操作又は状態「投入」が初期状態として特定される。「保安接地」については初期操作又は状態は「取付」であるから、逆の操作又は状態「取外」が初期状態として特定される。「電源用作用・表示電源用ＭＣＣＢ」については初期操作又は状態は「開放」であるから、逆の操作又は状態「投入」が初期状態として特定される。
【００３１】
このようにして初期状態を自動的に特定することができるようになる。
【００３２】
図４の処理の説明に戻って、盤タブレット３００の制御部１２は、表示処理部１３に、初期状態特定処理の処理結果に基づき、初期表示を実行させる（ステップＳ２５）。例えば、図１５に示すような画面が表示される。なお、処理は端子Ｃを介して図１６の処理に移行する。
【００３３】
図１５の例では、各機器について、状態表示がなされている。すなわち、「５２Ｒ」「８９Ｒ」「保安接地」「電源用作用・表示電源用ＭＣＣＢ」の各々について、初期状態を表示している。なお、色分けも行われており、「取付」又は「投入」、「開放」、「取外」の各々を識別可能になっている。なお、高圧受電盤が作業の対象である場合には、背景色を変えることによって、作業対象の盤を誤って識別しないようにしている。但し、現段階では通常の状態を表す色となっている。図１５の例では、各機器について状態を表示するようになっているが、一部の重要とされる機器のみを表示するようにしても良い。
【００３４】
図１６の処理の説明に移行して、指示者は、操作者に対して実行すべき作業の実行を指示して、指示者タブレット１００に表示された画面に含まれる指示ボタンをタップする。そうすると、指示者タブレット１００の入力部１４は、指示入力を受け付けて制御部１２に出力し、制御部１２は、通信部１１に、この指示の入力に応じて例えば指示に係る作業番号を含む指示通知を、確認者タブレット２００及び盤タブレット３００へ送信する（ステップＳ２７）。なお、確認者タブレット２００及び関係する盤タブレット３００を指定して送信しても良いし、ブロードキャストしても良い。
【００３５】
そして、指示者タブレット１００の制御部１２は、表示処理部１３に、ロック画面に遷移させ（ステップＳ３３）、指示者が操作者に対して次の指示を行ったことを入力できないようにロックする。すなわち、確認者による今回の作業の確認が行われるまで、次の作業の指示を行うことを抑制するものである。
【００３６】
例えば、図１７に示すようなロック画面が表示される。図１７において点線１７０１で囲まれる部分に示されるように、指示ボタンが表示されなくなる。指示ボタンを表示するが、タップできないようにしても良い。このように、次の作業に進むことを抑制させる。
【００３７】
一方、確認者タブレット２００の通信部１１は、指示者タブレット１００から指示通知を受信すると（ステップＳ２９）、制御部１２に出力する。そして、制御部１２は、表示処理部１３に、操作画面に遷移させる（ステップＳ３５）。例えば、図１８に示すような画面が表示される。図１８の例では、確認者タブレットであることを示す欄１８０１と、現在の作業対象盤（ここでは高圧受電盤）の表示欄１８０２と、現在の作業内容を示す欄１８０３と、現在の作業対象盤についての作業リスト１８０５と、現在の作業対象盤についての現在の作業に対する強調表示１８０４とを含む。このように、制御部１２は、指示に係る作業の作業対象盤を特定し、当該作業対象盤についての作業を、作業手順表から抽出し、作業前後の状態（機器＋操作又は状態）を列挙する。その上で、指示に係る作業を強調表示させる。確認者は、操作者の作業内容を確認した上で、作業対象盤における作業対象機器の状態（ここでは５２Ｒ開放）を、タップすることになる。
【００３８】
また、盤タブレット３００の通信部１１は、盤タブレット３００から指示通知を受信すると（ステップＳ３１）、通信部１１は、指示通知を制御部１２に出力する。そうすると、盤タブレット３００の制御部１２は、第１通知応答処理を実行する（ステップＳ３７）。第１通知応答処理については、図１９を用いて説明する。
【００３９】
盤タブレット３００の制御部１２は、受信した指示通知が、自盤に関係する指示通知であるか否かを判断する（ステップＳ１１１）。指示通知に含まれる作業番号で作業手順表を検索することで、操作箇所が自盤であるか否かを判断する。自盤に無関係の指示通知であれば、制御部１２は、表示処理部１３に、現在の状態を表す通知待ち画面を表示させる（ステップＳ１１３）。例えば、自盤への作業が完了した後、次が異なる盤への作業である場合には、背景（バックグランドとも呼ぶ）を通常の色に戻した表示などを行う。そして処理は呼び出し元の処理に戻る。
【００４０】
一方、受信した指示通知が、自盤に関係する指示通知であれば、制御部１２は、表示処理部１３に、指示通知に係る機器の状態を強調表示させる（ステップＳ１１５）。そして処理は呼び出し元の処理に戻る。
【００４１】
例えば、ステップＳ１１５では図２０に示すような画面が表示される。図２０の例では、高圧受電盤の５２Ｒという機器に対して開放が指示されたことが通知されたので、画面のバックグランド１９０１を、作業対象盤であることを表す色に変更すると共に、「５２Ｒ投入」という現在の状態が強調表示（１９０２）される。
【００４２】
ここで、確認者は、操作者が指示に係る作業を実行したか否かを確認する。確認できれば、確認された作業に対応する操作又は状態をタップする。図１８の例では「５２Ｒ開放」をタップする。確認者タブレット２００の入力部１４は、確認者による確認入力を受け付けて、通信部１１に、確認された作業の作業番号及び確認時刻を含む確認通知を指示者タブレット１００及び盤タブレット３００へ送信させる（ステップＳ３９）。確認通知は、指示者タブレット１００及び関係する盤タブレット３００を指定して送信するようにしても良いし、ブロードキャストするようにしても良い。なお、確認された作業の作業番号に対応付けて確認時刻をデータ格納部１５に格納する。
【００４３】
そして、確認者タブレット２００の制御部１２は、作業手順表における最後の作業について確認入力がなされたか否かを判断する（ステップＳ４０）。作業手順表における最後の作業であれば、確認者タブレット２００の制御部１２は、終了動作を実行する（ステップＳ４６）。例えば、作業番号と確認時刻とを対応付けたデータを、例えばＰＣ５００に送信したり、作業終了時の画面を表示させるなどの処理を実行する。
【００４４】
一方、作業手順表における最後の作業でなければ、確認者タブレット２００の制御部１２は、確認者タブレット２００の表示処理部１３に、次の作業の指示待ち画面に遷移させる（ステップＳ４５）。そして処理は端子Ｂを介してステップＳ２９に戻る。
【００４５】
ここでは、確認者タブレット２００においては、例えば図２１に示すような画面が表示されるようになる。基本的には、図１７と同様の画面であるが、確認時刻「０９：１０」の表示２１０１が追加されている。
【００４６】
確認者タブレット２００からの確認通知が送信されると、指示者タブレット１００の通信部１１は、この確認通知を受信し（ステップＳ４１）、確認通知を制御部１２に出力する。そして、制御部１２は、作業手順表における最後の作業について確認入力がなされたか否かを判断する（ステップＳ４７）。作業手順表における最後の作業であれば、指示者タブレット１００の制御部１２は、終了動作を実行する（ステップＳ５３）。例えば、作業終了時の画面を表示させるなどの処理を実行する。
【００４７】
一方、作業手順表における最後の作業でなければ、指示者タブレット１００の制御部１２は、指示者タブレット１００の表示処理部１３に、次の作業の指示画面に遷移させる（ステップＳ５１）。そして処理はステップＳ２７に戻る。
【００４８】
ここでは、指示者タブレット１００においては、例えば図２２に示すような画面が表示されるようになる。基本的には、図１７と同様の画面であるが、確認時刻「０９：１０」の表示２２０１が追加されている。さらに、確認された作業についての状態（１行目の「開放」）は、作業済みを表す色に変更されている。図２２の例では、確認された作業の確認時刻を表示する（２２０１）と共に、次の作業の作業対象盤を、現在の作業内容の表示欄２２０３に表示する。さらに、次の作業を強調表示する（２２０２）。ここで、指示者は、次の作業を操作者に指示して、指示ボタンをタップする。
【００４９】
また、確認者タブレット２００からの確認通知が送信されると、盤タブレット３００の通信部１１は、この確認通知を受信し（ステップＳ４３）、確認通知を制御部１２に出力する。
【００５０】
そして、盤タブレット３００の制御部１２は、第２通知応答処理を実行する（ステップＳ４８）。第２通知応答処理については、図２３を用いて説明する。
【００５１】
盤タブレット３００の制御部１２は、受信した確認通知が、自盤に関係する確認通知であるか否かを判断する（ステップＳ１２１）。確認通知に含まれる作業番号で作業手順表を検索することで、操作箇所が自盤であるか否かを判断する。自盤に無関係の指示通知であれば、処理は呼び出し元の処理に戻る。
【００５２】
一方、受信した確認通知が、自盤に関係する確認通知であれば、盤タブレット３００の制御部１２は、表示処理部１３に、確認通知に係る機器の状態を、確認通知に応じた状態に変更して表示させる（ステップＳ１２３）。例えば、逆の状態に変更する。例えば「投入」であれば「開放」に変更する。そして処理は呼び出し元の処理に戻る。
【００５３】
ステップＳ１２３が実行されると、盤タブレット３００には図２４に示すような画面が表示される。図２４の例では、確認された作業に係る機器の状態については強調表示されたままであるが（２４０１）、状態自体の変更は表示され、投入から「開放」に変化する（２４０２）。
【００５４】
そして、盤タブレット３００の制御部１２は、作業手順表における最後の作業について確認通知がなされたか否かを判断する（ステップＳ４９）。作業手順表における最後の作業であれば、盤タブレット３００の制御部１２は、終了動作を実行する（ステップＳ５０）。例えば、作業終了時の画面を表示させるなどの処理を実行する。一方、作業手順表における最後の作業でなければ、処理は端子Ｃを介してステップＳ３１に戻る。
【００５５】
このような処理が行われれば、確認者による前の作業の確認前に、指示者が次の作業を指示したりすることが抑制されるようになる。すなわち、作業手順表の順番で作業が行われるようになる。これによって、機器の破損や事故の防止など、作業の適正化が図られると共に、適切な作業手順表が作成されれば、作業効率向上などが図られる。
【００５６】
次に、指示者が、図２２に示すような画面において、指示ボタンをタップすると、図２５に示すような画面が表示される。図１７と同様に、ロック画面となり、指示ボタンは表示されないようになる。
【００５７】
これによって指示通知が確認者タブレット２００及び盤タブレット３００へ送信される。盤タブレット３００は、指示通知を受信しても、自盤に関係する指示通知ではないので、図２６に示すような画面が表示される。図２６では、自盤が作業対象盤ではないことを表す通知待ち画面となる。例えば、バックグランドが自盤が作業対象盤ではない色になる。
【００５８】
また、確認者タブレット２００は、指示通知を受信すると、図２７に示すような画面に遷移する。図２７の例では、指示通知に係る作業の作業対象盤は「高圧キャビネット」であり、今回確認すべき作業の内容を画面上段に示すと共に、作業対象盤について抽出された作業の作業リストにおいても、今回確認すべき作業を特定可能な形で表示する。
【００５９】
確認者は、図２７に示すような画面において、指示通知に係る作業が実行されたことを確認すると、作業リストにおいて確認すべき機器及び操作又は状態「ＵＧＳ開放」をタップする。そうすると、確認者タブレット２００は、図２８に示すような画面を表示する。すなわち、作業リストにおいて２番目の作業の確認が時刻９：１５に行われたことを示す。
【００６０】
確認者タブレット２００から、作業番号「２」及び確認時刻「９：１５」を含む確認通知を受信した指示者タブレット１００は、図２９に示すような画面を表示する。図２９の例では、２番目の作業については確認時刻を表示すると共に、２番目の作業における状態は、作業確認済みを表す色に変更される。さらに、次の作業を、画面上段に示すと共に、作業リストにおいて強調表示する。指示者は、操作者に対して次の作業を指示すると共に、指示ボタンをタップする。そうすると、指示者タブレット１００は、図３０に示すようにロック画面に遷移して、指示ボタンが表示されなくなる。そして、指示者タブレット１００は、作業番号「３」を含む指示通知を、盤タブレット３００及び確認者タブレット２００へ送信する。
【００６１】
これに対して、盤タブレット３００は、指示者タブレット１００から指示通知を受信すると、自盤についての指示通知であるから、図３１に示すような画面を表示する。すなわち、バックグランドは、自盤が作業対象であることを表す色に変更される（３１０１）。さらに、指示通知に係る作業の対象となる機器は「８９Ｒ」（３１０２）であるから、この機器及び状態を強調するような表示（３１０３）がなされる。
【００６２】
また、確認者タブレット２００は、指示者タブレット１００から指示通知を受信すると、図３２に示すような画面を表示する。作業手順表から高圧受電盤についての作業を抽出して、作業リストとして表示している。そして、作業番号「３」についての作業を確認するので、「８９Ｒ  投入」を「８９Ｒ  開放」に変更する作業を確認するように強調表示がなされる。
【００６３】
以下、上で説明されたような処理を繰り返すことで、作業手順表における全ての作業を作業手順表の順番で実行させる。
【００６４】
このような処理を行うことで、操作者も盤タブレット３００の表示に従って、作業対象機器や操作を確認の上で操作ができるので、誤った作業を実行するのを防止できる。さらに、指示者もロック画面によって作業確認が行われるまで次の作業の指示を行うことを抑制されるので、指示間違いをも抑制される。確認者も、指示者から離れていても、確認すべき作業を間違わずに認識することができるようになる。
【００６５】
なお、盤１００２にも盤タブレットを設けるようにしても良い。その場合においても、システムにおける動作は上で述べたとおりである。作業対象の盤が多数である場合には、盤タブレット３００が不足するために全ての盤に盤タブレット３００を取り付けられない場合もある。このような場合、重要な作業に係る盤にのみ盤タブレット３００を取り付けるような構成でも、十分に上で述べたような効果を得ることができる。
【００６６】
［実施の形態２］
第１の実施の形態では、作業対象の盤が１箇所の例を示した。しかし、作業対象の盤が、例えばビルの複数の階に渡って設置されているような場合、盤タブレット３００及び確認者タブレット２００を複数用いることが作業効率上好ましい場合がある。
【００６７】
一例を図３３に示す。図３３の例では、第１の場所に盤１００１が設置されており、当該盤１００１には盤タブレット３００ａが取り付けられている。一方、盤１００２は、第２の場所に設置されており、盤タブレット３００ｂが取り付けられている。第１の場所においては、指示者が居て、指示者タブレット１００を操作し、第１の操作者に指示する。第１の操作者は、盤１００１に対する作業を行う。さらに、第１の場所には、第１の確認者が居て、第１の確認者タブレット２００ａを操作する。一方、第２の場所には、第２の確認者が居て、第２の確認者タブレット２００ｂを操作する。又、第２の場所には、第２の操作者も居て、盤１００２に対する作業を行う。
【００６８】
なお、第１の場所と第２の場所との通信のため、通信機器４００ａ及び４００ｂが設置される。
【００６９】
このようなケースにおいては、指示者タブレット１００から送信される指示通知を、確認者タブレット２００ａ及び２００ｂに送信するようにしても良い。このような場合には、盤１００１についての指示であれば、第１の確認者が作業を確認して第１の確認者タブレット２００ａに確認入力を行う。そうすると、第１の確認者タブレット２００ａが、第２の確認者タブレット２００ｂと盤タブレット３００ａ及び３００ｂと指示者タブレット１００とに対して、確認通知を送信する。盤タブレット３００ａ及び３００ｂと指示者タブレット１００とは、第１の実施の形態と同じ処理を行うが、第２の確認者タブレット２００ｂは、他の確認者タブレット２００ａからの確認通知に応じて自確認者タブレット２００ｂで確認入力がなされたのと同様の処理を行うことで、次の作業のための画面に遷移する。
【００７０】
一方、指示者タブレット１００から送信される指示通知を、指示された作業に係る盤に対応付けられた確認者タブレットに送信するようにしても良い。すなわち、予め盤と確認者タブレットとの対応付けを、指示者タブレット１００及び確認者タブレット２００ａ及び２００ｂに行っておき、指示通知を、指示された作業に係る盤に対応付けられた確認者タブレットに限定して送信するか、指示された作業に係る盤に対応付けられた確認者タブレットでのみ指示通知に対する処理を行うようにする。この際、確認通知を、指示された作業に係る盤に対応付けられていない確認者タブレットにも送信して、他の確認者タブレットに係る確認者に前作業が確認済みであることを表示する。
【００７１】
作業対象の盤の設置場所が３箇所以上となっても、同様な変更にて対応可能である。なお、タブレット間の通話が可能になっていれば、離れた場所で作業の指示を行う場合でも、追加のファシリティ無しで効率的に作業を進めることができる。
【００７２】
［実施の形態３］
例えば図３３に示すように２箇所以上で作業を行う場合等において、複数の作業を並列に実行できる場合がある。例えば、作業手順表において複数の作業がグループ化されている場合には、１つのグループに含まれる複数の作業を並列に実行させることができる。より具体的には、第１の場所における第１の作業者に第１の作業を実行させると共に、第２の場所における第２の作業者に第２の作業を実行させる。
【００７３】
このような場合、基本的に、第２の実施の形態で述べた方法のうち１番目の方法を採用した上で、指示者タブレット１００が、並列実行する作業を確認する全ての確認者タブレット２００から確認通知を受信した後に、ロック画面から次の作業の指示を行うための画面に遷移させるようにする。なお、指示通知には、並列実行する作業の全作業番号を含むようにする。このようにすれば、並列作業をも順番を守りつつ取り扱うことができるようになる。
【００７４】
［実施の形態４］
工事の現場によっては、指示者と確認者が同じ人物で作業を進めることになる場合もある。
【００７５】
この場合、例えば指示者タブレット１００に、確認者タブレット２００用のプログラムをインストールしておき、指示者タブレット１００用のプログラムと確認者タブレット２００用のプログラムとを実行するようにしても良い。この場合、タブレット間の通信のうち、指示者タブレット１００と確認者タブレット２００との間の通信については、プログラム間通信として処理すればよい。
【００７６】
すなわち、図８のような画面を表示した後、指示ボタンをタップした場合には、図１８のような画面に遷移し、確認入力を行うと、図２２の画面に遷移するようにしても良い。
【００７７】
さらに、基本的には指示者タブレット１００の画面において、指示ボタンをタップした場合には、例えば図８の画面において、指示ボタンを消した後、指示に係る作業の横に確認ボタンを表示させるような構成で、対応することも可能である。
【００７８】
［実施の形態５］
その他、各タブレット又はＰＣ５００に、実施すべき作業についての資料を格納しておき、適宜参照できるようにしても良い。また、確認者タブレット２００において、作業前の確認事項、作業後の確認事項を、チェックリスト形式で提供して、それらのチェックを行わないと、確認入力を行うことができないといった形にしても良い。
【００７９】
また、指示者が、管理センターなどに居て、現場に居ないような構成を採用することも可能である。この場合、通信機器４００が、インターネットその他の外部ネットワークに接続するための機能を有することになる。ＰＣ５００も、この場合には作業場所に設置せずに遠隔地に設ける場合もある。
【００８０】
さらに、停電復電作業といった業務だけではなく点検業務などの他の業務に対しても適用可能である。
【００８１】
さらに、盤タブレット３００の機能を拡張して、単に盤タブレット３００を取り付けるだけではなく、各種センサを備えさせた上で盤に接続させるようにすれば、盤状態を自動的に取り込むことができるようになるので、確認作業を省力化させることができるようになる。例えば、充電又は非充電の状態をセンサにて確認して表示すれば、自動的に状態を確認できるようになる。
【００８２】
以上本発明の実施の形態を説明したが、本発明はこれに限定されるものではない。例えば、タブレットの機能ブロック構成を図２に示したが、プログラムモジュール構成とは一致しない場合もある。
【００８３】
さらに、処理フローについても、同様の処理結果を得られる限り、処理順番を入れ替えたり、処理ステップを並列実行するように変更しても良い。
【００８４】
また、例えば、前処理として作業手順表の読み込みを、指示者タブレット１００に対する指示に応じて行うようにしても良いが、確認者その他の者が手動で同じ作業手順表を読み込むようにしても良い。
【００８５】
さらに、盤タブレット３００において初期状態を自動的に特定する例を示したが、操作者などが確認の上設定するようにしても良い。その上で、作業手順表との齟齬を検出するような処理を行うようにしても良い。また、タブレットを用いる例を示したが、上で述べたような機能を有するための端末装置を採用するようにしても良い。さらに、指示者タブレット１００及び確認者タブレット２００に対する盤タブレット３００の取り付け先盤の設定については、手動で行うようにしても良い。
【００８６】
なお、上で述べたタブレット１００乃至３００は、コンピュータ端末装置であって、図３４に示すように、メモリ２５０１とＣＰＵ（Central Processing Unit）２５０３とフラッシュメモリ２５０５と表示装置２５０９に接続される表示制御部２５０７とメモリカード用のメモリカードリーダライタ２５１３と入力装置２５１５とネットワークに接続するための無線の通信制御部２５１７とがバス２５１９で接続されている。オペレーティング・システム（ＯＳ：Operating System）及び本実施の形態における処理を実施するためのアプリケーション・プログラムは、フラッシュメモリ２５０５に格納されており、ＣＰＵ２５０３により実行される際にはフラッシュメモリ２５０５からメモリ２５０１に読み出される。ＣＰＵ２５０３は、アプリケーション・プログラムの処理内容に応じて表示制御部２５０７、通信制御部２５１７、メモリカードリーダライタ２５１３を制御して、所定の動作を行わせる。また、処理途中のデータについては、主としてメモリ２５０１に格納されるが、フラッシュメモリ２５０５に格納されるようにしてもよい。本発明の実施の形態では、上で述べた処理を実施するためのアプリケーション・プログラムはコンピュータ読み取り可能なメモリカード２５１１に格納されて頒布され、メモリカードリーダライタ２５１３からフラッシュメモリ２５０５にインストールされる。ＬＡＮやインターネットなどのネットワーク及び通信制御部２５１７を経由して、フラッシュメモリ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【００８７】
以上述べた本実施の形態をまとめると、以下のようになる。
【００８８】
本実施の形態の第１の態様に係るシステムは、第１乃至第３の端末装置を含むシステムである。そして、第１の端末装置は、（Ａ）予め規定されている作業手順に含まれる各作業を、規定された順番で作業者に指示するように促す表示を行い、（Ｂ）作業手順に含まれるある作業の実行を作業者に指示したことが入力されると、第２及び第３の端末装置にある作業の指示通知を送信すると共に、ある作業の次の順番における作業の実行を作業者に指示したことを入力できないロック状態に遷移する。また、第２の端末装置は、（Ｃ）作業手順におけるいずれかの作業対象装置に対応付けられており、（Ｄ）ある作業の指示通知を受信すると、ある作業の指示通知が作業対象装置に関係する場合には、作業者に対して指示に係る装置であることを示す表示を行う。さらに、第３の端末装置は、（Ｅ）ある作業の指示通知を受信すると、ある作業が作業者によって実行されたことを確認するよう促す表示を行い、（Ｆ）ある作業が作業者によって実行されたことを確認したことが入力されると、ある作業の確認通知を、第１及び第２の端末装置に送信する。そして、第１の端末装置は、（Ｇ）ある作業の確認通知を受信すると、ロック状態を解除する。また、第２の端末装置は、（Ｈ）ある作業の確認通知を受信すると、ある作業の確認通知が作業対象装置に関係する場合には、作業者に対して指示に係る装置であることを示す表示を停止する。
【００８９】
このようなシステムを導入することで、作業手順に従わない作業指示が抑制されて、誤った作業による機器の破損や事故などを効果的に抑制できるようになる。
【００９０】
また、上で述べたシステムは、第３の端末装置を複数含む場合がある。この場合、第１の端末装置は、複数の第３の端末装置のいずれかからある作業の確認通知を受信すると、ロック状態を解除するようにしても良い。例えば、異なる場所で作業の確認を行わなければならない場合に、効率的に作業を進めることができるようになる。
【００９１】
さらに、上で述べたシステムは、第３の端末装置を複数含み、ある作業が、並列実行可能な複数の作業を含む場合がある。このような場合、第１の端末装置は、複数の第３の端末装置から複数の作業のいずれについても確認通知を受信すると、ロック状態を解除するようにしても良い。このようにすれば、複数の作業を並列実行するような場合においても、作業手順に正しく従って作業を行うことができるようになる。
【００９２】
さらに、上で述べた第２の端末装置は、作業手順のデータを読み込んで作業対象装置についてのデータを抽出し、作業対象装置についての初期状態を特定して初期的に表示し、ある作業の確認通知を受信すると、ある作業の確認通知が作業対象装置に関係する場合には、作業対象装置の状態を変更して表示するようにしても良い。このようにすれば、作業対象装置の状態を、作業者（操作者とも呼ぶ）が容易に把握できるようになるので、誤操作などを抑制できるようになる。
【００９３】
本実施の形態の第２の態様に係る情報処理装置（例えば指示者タブレット）は、（Ａ）予め規定されている作業手順に含まれる各作業を、規定された順番で作業者に指示するように促す表示を行う表示処理手段と、（Ｂ）作業手順に含まれるある作業の実行を作業者に指示したことが入力されると、作業者が実行した作業の確認を行う確認者のための第１の端末装置又はプログラムと作業手順における作業対象装置のための第２の端末装置とのうち少なくともいずれかに、ある作業の実行を作業者に指示したことを表す、ある作業の指示通知を出力すると共に、ある作業の次の順番における作業の実行を作業者に指示したことを入力できないロック状態に表示処理手段を遷移させる手段と、（Ｃ）第１の端末装置又はプログラムから、ある作業が作業者によって実行されたことを確認したことを表す、ある作業の確認通知を受信すると、ロック状態を解除する手段とを有する。
【００９４】
このようにすれば、工事の指示者が、規定された作業手順から外れた指示を出すことを抑制できるので、正しい手順で工事が行われるようになる。
【００９５】
なお、本実施の形態の第３の態様に係る情報処理装置（例えば指示者タブレット）は、（Ａ）予め規定されている作業手順に含まれる各作業を、規定された順番で作業者に指示するように促す表示を行う第１表示処理手段と、（Ｂ）作業手順に含まれるある作業の実行を作業者に指示したことが入力されると、ある作業の次の順番における作業の実行を作業者に指示したことを入力できないようにしつつ、ある作業が作業者によって実行されたことを確認するよう促す表示を行う第２表示処理手段と、（Ｃ）ある作業が作業者によって実行されたことを確認したことが入力されると、作業者に対して、ある作業の次の順番について第１表示処理手段を動作させる手段とを有する。
【００９６】
例えば、指示者と確認者が同一人物である場合にも、このような情報処理装置を導入することで、規定された作業手順から外れた指示を出すことを抑制できるので、正しい手順で工事が行われるようになる。
【００９７】
さらに、本実施の形態の第４の態様に係る情報処理装置（例えば確認者タブレット）は、（Ａ）予め規定されている作業手順に含まれるある作業の実行を作業者に指示したことが入力されたことを表すある作業の指示通知を他の端末装置から受信すると、ある作業が作業者によって実行されたことを確認するよう促す表示を行う手段と、（Ｂ）ある作業が作業者によって実行されたことを確認したことが入力されると、ある作業の次の順番における作業についての処理への遷移を可能にする、ある作業の確認通知を、他の端末装置に送信する手段とを有する。
【００９８】
このような確認者用の情報処理装置を導入することで、他の端末装置におけて、ある作業の次の順番における作業についての処理へ、適切に遷移させることができるようになるため、正しい手順で工事が行われるようになる。
【００９９】
また、本実施の形態の第５の態様に係る情報処理装置（例えば盤タブレット）は、予め規定されている作業手順におけるいずれかの作業対象装置に対応付けられた情報処理装置である。この情報処理装置は、（Ａ）作業手順に含まれるある作業の実行を作業者に指示したことを表す、ある作業の指示通知を受信すると、ある作業の指示通知が作業対象装置に関係する場合には、作業者に対して指示に係る装置であることを示す表示を行う手段と、（Ｂ）ある作業が作業者によって実行されたことを確認したことを表す、ある作業の確認通知を受信すると、ある作業の確認通知が作業対象装置に関係する場合には、作業者に対して指示に係る装置であることを示す表示を停止させる手段とを有する。
【０１００】
このような情報処理装置を導入することで、作業対象装置を適切に識別できるようになるので、作業効率化及び作業手順の適切な実行が促される。
【０１０１】
なお、上で述べたような処理をコンピュータに実施させるためのプログラムを作成することができ、当該プログラムは、例えばフレキシブル・ディスク、ＣＤ−ＲＯＭなどの光ディスク、光磁気ディスク、半導体メモリ（例えばＲＯＭ）、ハードディスク等のコンピュータ読み取り可能な記憶媒体又は記憶装置に格納される。なお、処理途中のデータについては、ＲＡＭ等の記憶装置に一時保管される。
【符号の説明】
【０１０２】
１００  指示者タブレット
２００  確認者タブレット
３００  盤タブレット
４００  通信機器
５００  ＰＣ
【図１】
0006587395.tif 000002
【図２】
0006587395.tif 000003
【図３】
0006587395.tif 000004
【図４】
0006587395.tif 000005
【図５】
0006587395.tif 000006
【図６】
0006587395.tif 000007
【図７】
0006587395.tif 000008
【図８】
0006587395.tif 000009
【図９】
0006587395.tif 000010
【図１０】
0006587395.tif 000011
【図１１】
0006587395.tif 000012
【図１２】
0006587395.tif 000013
【図１３】
0006587395.tif 000014
【図１４】
0006587395.tif 000015
【図１５】
0006587395.tif 000016
【図１６】
0006587395.tif 000017
【図１７】
0006587395.tif 000018
【図１８】
0006587395.tif 000019
【図１９】
0006587395.tif 000020
【図２０】
0006587395.tif 000021
【図２１】
0006587395.tif 000022
【図２２】
0006587395.tif 000023
【図２３】
0006587395.tif 000024
【図２４】
0006587395.tif 000025
【図２５】
0006587395.tif 000026
【図２６】
0006587395.tif 000027
【図２７】
0006587395.tif 000028
【図２８】
0006587395.tif 000029
【図２９】
0006587395.tif 000030
【図３０】
0006587395.tif 000031
【図３１】
0006587395.tif 000032
【図３２】
0006587395.tif 000033
【図３３】
0006587395.tif 000034
【図３４】
0006587395.tif 000035